(57)【要約】【課題】  非磁性材料からなるカレンダーに用いられるカレンダーマーカーにおいて、利用価値の向上を図る。【解決手段】  カレンダーマーカー１は、前方部材２と後方部材３とで一組とされており、紙製のカレンダー４に取り付けられて使用される。前方部材２の前面には、それとの間に挿入口１１を形成するようにして、掲示片収容部１０が設けられる。挿入口１１から掲示片収容部１０と前方部材２との間に、予定を表示した掲示片９が収容される。収容された掲示片９を挿入口１１から取り出して、別の内容が表示された掲示片９と取り替えることで、掲示内容を変更できる。【選択図】      図１
0003147196.tif 000002
【実用新案登録請求の範囲】
【請求項１】
紙などの非磁性材料からなるカレンダーに予定を掲示するカレンダーマーカーであって、
予定を掲示するための前方部材と、この前方部材と一対をなす後方部材とを備えており、
前記前方部材の内部に磁石を有すると共に、前記後方部材の内部に、前記前方部材の磁石と吸着し得る磁石を有し、
前記カレンダーの前面に前記前方部材が配置され、前記カレンダーの後面に前記後方部材が配置された状態で、前記前方部材の内部の磁石と前記後方部材の内部の磁石との間の磁力により、前記カレンダーの前面に前記前方部材を着脱可能に保持可能とされ、
前記前方部材の前面に配設され、前記前方部材との間に、予定を表示した掲示片を挿入する挿入口が形成された掲示片収容部が設けられた
ことを特徴とするカレンダーマーカー。
【考案の詳細な説明】
【技術分野】
【０００１】
本考案は、カレンダーに予定を掲示するためのカレンダーマーカーに関するものである。特に、紙などの非磁性材料からなるカレンダーに用いられるカレンダーマーカーに関するものである。
【背景技術】
【０００２】
カレンダーに予定を掲示できるカレンダーマーカーとして、実開昭６２−８５４６１号公報に開示されるようなカレンダーマーカーが提案されている。このカレンダーマーカーは、紙製のカレンダーに予定を掲示することができる。
【０００３】
従来のカレンダーマーカーは、表示される掲示内容を変更して、別の掲示内容を表示するカレンダーマーカーとして使用することができない。すなわち、利用価値の向上という点において改善の余地がある。
【考案の開示】
【考案が解決しようとする課題】
【０００４】
本考案が解決しようとする課題は、非磁性材料からなるカレンダーに用いられるカレンダーマーカーにおいて、利用価値の向上を図ることにある。
【課題を解決するための手段】
【０００５】
本考案は、前記課題を解決するためになされたもので、請求項１に記載の考案は、紙などの非磁性材料からなるカレンダーに予定を掲示するカレンダーマーカーであって、予定を掲示するための前方部材と、この前方部材と一対をなす後方部材とを備えており、前記前方部材の内部に磁石を有すると共に、前記後方部材の内部に、前記前方部材の磁石と吸着し得る磁石を有し、前記カレンダーの前面に前記前方部材が配置され、前記カレンダーの後面に前記後方部材が配置された状態で、前記前方部材の内部の磁石と前記後方部材の内部の磁石との間の磁力により、前記カレンダーの前面に前記前方部材を着脱可能に保持可能とされ、前記前方部材の前面に配設され、前記前方部材との間に、予定を掲示した掲示片を挿入する挿入口が形成された掲示片収容部が設けられたことを特徴とするカレンダーマーカーである。
【考案の効果】
【０００６】
本考案によれば、非磁性材料からなるカレンダーに用いられるカレンダーマーカーにおいて、利用価値の向上を図ることができる。
【考案を実施するための最良の形態】
【０００７】
以下、本考案のカレンダーマーカーについて、実施例に基づきさらに詳細に説明する。
【０００８】
図１は、本考案のカレンダーマーカーの一実施例の使用状態を示す正面図であり、一部を折り返した状態で示している。図２は、本実施例のカレンダーマーカーの取付状態を示す断面図であり、図３はそのIII−III断面図である。
【０００９】
本実施例のカレンダーマーカー１は、前方部材２と後方部材３とで一組とされる。本実施例では、カレンダーマーカー１は、紙製のカレンダー４に取り付けられて使用される。なお、カレンダー４は、紙製に限らず、非磁性材料からなるものであれば構わない。
【００１０】
前方部材２は、薄手で柔軟性を有する不透明のプラスチックにより形成される。前方部材２は、その形状を特に問わないが、図示例では中空の矩形板状とされる。前方部材２の内部には、弾性を有する矩形板状のスポンジ５と、このスポンジ５の中央に形成された穴６に配置される円形板状の磁石７とが収容される。
【００１１】
後方部材３は、薄手で柔軟性を有する不透明のプラスチックにより形成される。後方部材３は、その形状を特に問わないが、図示例では、前方部材２の上下幅よりも若干短い直径を有する中空円形状とされる。後方部材３の内部には、前方部材２の内部に収容される磁石７と吸着するように、板状の磁石８が収容される。
【００１２】
前方部材２および後方部材３は、薄手で柔軟性を有する透明のプラスチックにより形成してもよい。この場合、前方部材２および後方部材３の内面を覆う部材により、スポンジ５や磁石７，８が外部から見えないようにする。
【００１３】
前方部材２の前面には、予定が表示された掲示片９を着脱可能に保持できるように、掲示片収容部１０が設けられる。図４は、前方部材２と掲示片収容部１０との間に掲示片９を挿入する状態を示す図である。この図に示すように、本実施例では、前方部材２と掲示片収容部１０との間に、上方から掲示片９が挿入可能とされる。
【００１４】
掲示片９は、矩形状の紙片とされる。掲示片９の前面には、掲示する内容が表示されている。たとえば、図示例のように、「特売日」、「資源ゴミ」、「可燃ゴミ」、「不燃ゴミ」との掲示内容が横書きされている。但し、掲示内容は、これらに限定されるものではない。また、文字だけでなく、それに代えてまたはそれに加えて、図形や絵などで掲示内容を表してもよい。なお、文字などは、手書きされたものでもよいし、パソコンなどによって打ち出されたものでもよい。
【００１５】
掲示片収容部１０は、薄手で柔軟性を有する透明のプラスチックにより形成され、その形状を特に問わないが、図示例では矩形状に形成される。掲示片収容部１０は、その四辺の内、上辺を除く三辺を前方部材２に接着または熱溶着することで設けられる。これにより、前方部材２の前面を覆うように設けることができる。図示例では、前方部材２の前面上端部を除いて、前方部材２の前面が覆われる。
【００１６】
このようにして掲示片収容部１０を設けることで、掲示片収容部１０の上辺と前方部材２との間に、掲示片９を挿入するための挿入口１１が形成される。掲示片９は、挿入口１１から挿入されて、掲示片収容部１０と前方部材２との間に収容可能とされる。掲示片収容部１０は透明であるため、掲示片９を収容した状態で、掲示内容を外部から視認できる。
【００１７】
カレンダー４へのカレンダーマーカー１の取り付けは、図２に示すように、磁石７，８間の磁力によって、前方部材２をカレンダー４前面に、および後方部材３をカレンダー４後面に重ね合わせた状態で吸着させることでなされる。すなわち、カレンダーマーカー１は、カレンダー４に着脱可能に保持可能とされる。これを言い換えると、カレンダー４後面の後方部材３によって、カレンダー４前面に前方部材２が着脱可能に保持されるということになる。
【００１８】
本実施例では、図１に示すように、カレンダー４のそれぞれの日にちの下部に空白が設けられており、その空白に前方部材２が配置されるように、カレンダーマーカー１が設けられる。カレンダーマーカー１は、前方部材２と掲示片収容部１０との間に掲示片９が収容されて使用される。
【００１９】
また、前方部材２をカレンダー４前面上において滑らせるように移動させると、それに伴って後方部材３もカレンダー４後面上を滑るように移動する。従って、カレンダーマーカー１は、掲示する日を変更する際、保持状態を維持しつつ移動させることができる。
【００２０】
本実施例のカレンダーマーカー１によれば、挿入口１１から前方部材２と掲示片収容部１０との間に収容される掲示片９によって、掲示内容を表示することができる。そして、収容された掲示片９を挿入口１１から取り出して、別の掲示内容が表示された掲示片９と取り替えることで、掲示内容を変更することができる。このようにして、多種類の掲示内容に対応させることができるため、利用価値を向上させることができる。
【００２１】
本考案のカレンダーマーカーは、前記実施例の構成に限らず、適宜変更可能である。たとえば、前記実施例では、前方部材２と掲示片収容部１０との間に、上方から掲示片９を挿入できる構成としたが、左右双方または左右どちらか一方から掲示片９を挿入できる構成としてもよい。左右双方から挿入できる構成の場合、前方部材２に、掲示片収容部１０の上辺および下辺が接着または熱溶着されることで、左右双方に挿入口１１が形成される。左右どちらか一方から挿入できる構成の場合、前方部材２に、掲示片収容部１０の上辺および下辺と、左辺または右辺とが接着または熱溶着されることで、左右どちらか一方に挿入口１１が形成される。いずれの場合も、前方部材２と掲示片収容部１０との間に、掲示片９が収容される。
【００２２】
また、前記実施例では、掲示片収容部１０全体を透明としたが、掲示片９の掲示内容と対応する箇所が透明であればよい。また、前記実施例では、掲示片収容部１０全体を透明としたが、不透明としてもよい。この場合、掲示片９の掲示内容と対応する箇所に、切り欠きが形成される。これにより、掲示内容を外部から視認することができる。
【図面の簡単な説明】
【００２３】
【図１】本考案のカレンダーマーカーの一実施例の使用状態を示す正面図であり、一部を折り返した状態で示している。
【図２】図１におけるカレンダーマーカーの取付状態を示す断面図である。
【図３】図２におけるIII−III断面図である。
【図４】前方部材と掲示片収容部との間に掲示片を挿入する状態を示す図である。
【符号の説明】
【００２４】
１  カレンダーマーカー
２  前方部材
３  後方部材
４  カレンダー
７  磁石
８  磁石
９  掲示片
１０  掲示片収容部
１１  挿入口
【図１】
0003147196.tif 000003
【図２】
0003147196.tif 000004
【図３】
0003147196.tif 000005
【図４】
0003147196.tif 000006